(57)【要約】      （修正有）【課題】血圧測定機能を含む複数の機能を有する機器であって、ユーザが推奨血圧測定姿勢をとるように促すことができる機器を提供する。【解決手段】機器１は、手首を取り巻いて装着されるベルト２０を含む。ベルトのうち手首の掌側面または橈側面に対応すべき部位に配置された第１の表示領域５０Ａと、ベルトのうち手首の背側面に対応すべき部位に配置された第２の表示領域５０Ｂとを少なくとも備える。血圧測定期間中は、その血圧測定に関する情報を第１の表示領域のみに表示する第１の制御を行い、血圧測定期間以外の期間は、表示されるべき情報を第１または第２の表示領域に表示する第２の制御を行う。【選択図】図１Ａ
2017121275.tif 000002
【特許請求の範囲】
【請求項１】
血圧測定機能を含む複数の機能を有し、手首を取り巻いて装着されるベルトを含む機器であって、
上記ベルトのうち上記手首の掌側面または橈側面に対応すべき部位に配置された第１の表示領域と、
上記ベルトのうち上記手首の背側面に対応すべき部位に配置された第２の表示領域と
を少なくとも備え、
血圧測定期間中は、その血圧測定に関する情報を上記第１の表示領域のみに表示する第１の制御を行い、上記血圧測定期間以外の期間は、表示されるべき情報を上記第１または第２の表示領域に表示する第２の制御を行う制御部を備えたことを特徴とする機器。
【請求項２】
請求項１に記載の機器において、
上記ベルトのうち上記手首の掌側面または橈側面に対応すべき部位に、上記血圧測定期間を開始すべき旨の指示を入力するための操作部が配置されていることを特徴とする機器。
【請求項３】
請求項２に記載の機器において、
この機器が装着された手首の姿勢を検出して、上記手首の姿勢が推奨血圧測定姿勢に合致したとき、または、上記操作部を介して上記血圧測定期間の開始準備を行うべき旨の指示が入力されたとき、上記血圧測定期間の開始準備を行う開始モードに移行する開始部を備えたことを特徴とする機器。
【請求項４】
請求項３に記載の機器において、
上記開始部は、
上記手首の姿勢が推奨血圧測定姿勢に対して予め定められた第１許容範囲内に入ったとき、上記開始モードに移行し、
上記開始モードにある期間中に、上記手首の姿勢が上記推奨血圧測定姿勢に対して上記第１許容範囲内に予め定められた第２許容範囲内に入ったとき、上記開始モードを終了して上記血圧測定期間を開始することを特徴とする機器。
【請求項５】
請求項３または４に記載の機器において、
上記開始モードにある期間中に、上記制御部は、上記血圧測定期間を開始するか否かを問い合わせる問合せ情報を、上記第１の表示領域のみに表示する第３の制御を行うことを特徴とする機器。
【請求項６】
請求項５に記載の機器において、
上記制御部は、上記第１の表示領域に上記問合せ情報を表示した後、上記操作部を介して上記血圧測定期間を開始すべき旨の指示が入力されたとき、上記制御部は、上記開始モードを終了して上記血圧測定期間を開始することを特徴とする機器。
【請求項７】
請求項１から６までのいずれか一つに記載の機器において、
上記制御部は、この機器が装着された手首の姿勢を推奨血圧測定姿勢に合致させるように誘導する姿勢誘導情報を、上記血圧測定期間中であっても、上記第１または第２の表示領域に表示する第４の制御を行うことを特徴とする機器。
【請求項８】
請求項１から７までのいずれか一つに記載の機器において、
上記制御部は、この機器が装着された手首が左手首と右手首とのいずれであるかを検出して、上記装着された手首が一方の手首であるとき、この機器を他方の手首に装着し直すように誘導する装着手首誘導情報を、上記血圧測定期間中であっても、上記第１または第２の表示領域に表示する第５の制御を行うことを特徴とする機器。
【請求項９】
請求項７に記載の機器において、
上記制御部は、上記第１または第２の表示領域に、上記姿勢誘導情報を手若しくは手首を含む画像、または、光の点灯若しくは点滅を用いて表示することを特徴とする機器。
【請求項１０】
請求項８に記載の機器において、
上記制御部は、上記第１または第２の表示領域に、上記装着手首誘導情報を手若しくは手首を含む画像、または、光の点灯若しくは点滅を用いて表示することを特徴とする機器。
【請求項１１】
請求項１から１０までのいずれか一つに記載の機器において、
音を発する発音部、または、振動を発する振動器を備え、
上記制御部は、この機器が装着された手首の姿勢を推奨血圧測定姿勢に合致させるように誘導する姿勢誘導情報を、上記発音部の音、または、上記振動器の振動を用いて報知することを特徴とする機器。
【請求項１２】
請求項１から１１までのいずれか一つに記載の機器において、
音を発する発音部、または、振動を発する振動器を備え、
上記制御部は、この機器が装着された手首が左手首と右手首とのいずれであるかを検出して、上記装着された手首が一方の手首であるとき、この機器を他方の手首に装着し直すように誘導する装着手首誘導情報を、上記発音部の音、または、上記振動器の振動を用いて報知することを特徴とする機器。
【請求項１３】
請求項１に記載の機器において、
上記ベルトのうち上記手首の掌側面または橈側面に対応すべき部位に配置された、この機器の機能に関する指示を入力するための第１の操作部と、
上記ベルトのうち上記手首の背側面に対応すべき部位に配置された、この機器の機能に関する指示を入力するための第２の操作部と
を備え、
上記血圧測定期間を開始すべき旨の指示の入力は、上記第１、第２の操作部のうち上記第１の操作部を通してのみ可能になっていることを特徴とする機器。
【請求項１４】
血圧測定機能を含む複数の機能を有し、手首を取り巻いて装着されるベルトを含む機器であって、
上記ベルトのうち上記手首の掌側面または橈側面に対応すべき部位に配置された、この機器の機能に関する指示を入力するための第１の操作部と、
上記ベルトのうち上記手首の背側面に対応すべき部位に配置された、この機器の機能に関する指示を入力するための第２の操作部と
を備え、
上記血圧測定期間を開始すべき旨の指示の入力は、上記第１、第２の操作部のうち上記第１の操作部を通してのみ可能になっていることを特徴とする機器。
【発明の詳細な説明】
【技術分野】
【０００１】
この発明は機器に関し、より詳しくは、血圧測定機能を含む複数の機能を有する機器に関する。
【背景技術】
【０００２】
従来、この種の機器としては、例えば特許文献１（実開平６−１１７０１号公報）に開示されているように、血圧測定装置をデジタル式腕時計に組み込んだものが知られている。その機器は１つの表示デバイスを備え、その表示デバイスに、デジタル式時計によって得られた時間と血圧測定装置によって得られた血圧値とが選択的に切り替えて表示される。
【先行技術文献】
【特許文献】
【０００３】
【特許文献１】実開平６−１１７０１号公報
【特許文献２】特開平６−１０２３７８号公報
【特許文献３】米国特許６２１６４９０号明細書
【発明の概要】
【発明が解決しようとする課題】
【０００４】
一般的な腕時計におけるのと同様に、上記特許文献１の機器は、通常、上記表示デバイス（およびそれが組み込まれた本体）が、ユーザの手首の背側面（手の甲側の面）に配される態様で装着される。その理由は、この種の常時装着される機器では、仮に上記表示デバイス（およびそれが組み込まれた本体）が手首の掌側面（手の平側の面）に配されると、上記表示デバイスと本体が上記手首の掌側面からユーザの体幹側へ向かって突起するので、ユーザの日常活動の邪魔になるからである。
【０００５】
一方、手首式の血圧測定装置を用いて血圧測定を行う場合、ユーザは、例えば腕を曲げてテーブル上に肘を置いた上で、手首を前方斜め上へ向け、かつ、手首の掌側面（したがって、手の平）を上へ向けた姿勢をとることが推奨されている（この姿勢を「推奨血圧測定姿勢」と呼ぶ。図６参照。）。その理由は、血圧測定精度を高めるためである。すなわち、ユーザの手首９０と心臓９１との間の高低差を無くすとともに、手首９０を通っている動脈（橈骨動脈と尺骨動脈）をなるべく手首の骨（橈骨と尺骨）の周りに捻らず、自然な状態で手首９０の外周表面（掌側面）に沿って位置させるためである。
【０００６】
ここで、上記特許文献１の機器では、上述のように、上記表示デバイス（および本体）がユーザの手首の背側面に配される態様で装着される。このため、ユーザが、推奨血圧測定姿勢を一旦とったとしても、表示デバイスの表示内容を見ようとして、無意識に手首を捻って背側面を上向きにして測定してしまう、という問題がある。その場合、手首を通っている動脈が手首の骨の周りに捻られた状態で血圧測定されることになって、血圧測定精度が低下する。
【０００７】
そこで、この発明の課題は、ユーザが推奨血圧測定姿勢をとるように促すことができる機器を提供することにある。
【課題を解決するための手段】
【０００８】
上記課題を解決するため、この発明の機器は、
血圧測定機能を含む複数の機能を有し、手首を取り巻いて装着されるベルトを含む機器であって、
上記ベルトのうち上記手首の掌側面または橈側面に対応すべき部位に配置された第１の表示領域と、
上記ベルトのうち上記手首の背側面に対応すべき部位に配置された第２の表示領域と
を少なくとも備え、
血圧測定期間中は、その血圧測定に関する情報を上記第１の表示領域のみに表示する第１の制御を行い、上記血圧測定期間以外の期間は、表示されるべき情報を上記第１または第２の表示領域に表示する第２の制御を行う制御部を備えたことを特徴とする。
【０００９】
本明細書で、手首の「掌側面」とは、手首の外周のうち手の平側に相当する部分の面を指す。手首の「橈側面」とは、手首の外周のうち親指側に相当する部分の面を指す。また、手首の「背側面」とは、手首の外周のうち手の甲側に相当する部分の面を指す。
【００１０】
また、「血圧測定期間」とは、血圧測定開始時から血圧測定完了時までの血圧測定のための期間を指す。「血圧測定開始時」とは、圧力センサの０ｍｍＨｇの調整などの測定の準備期間を含む。
【００１１】
また、「その血圧測定に関する情報」とは、例えば、その血圧測定の進捗状況を示す表示、その血圧測定中における手首に対する圧力・脈波波形の表示、腕帯が緩いことを示す表示、体動有りを示す表示、および、その血圧測定によって得られた血圧値を示す表示などを指す。また、「その血圧測定に関する情報」には、血圧測定期間を開始するか否かを問い合わせる問合せ情報と、この機器が装着された手首の姿勢を誘導する姿勢誘導情報と、この機器を一方の手首から他方の手首へ装着し直すように誘導する装着手首誘導情報とが含まれる。ただし、これらの問合せ情報、姿勢誘導情報、装着手首誘導情報の表示については、後述の例外的な制御（第３の制御、第４の制御、第５の制御）がなされる。
【００１２】
また、「表示されるべき情報」には、表示されるべき全ての情報が含まれ得る。
【００１３】
この発明の機器がベルトでユーザの手首を取り巻いて装着された状態では、第１の表示領域は上記手首の掌側面または橈側面に対応して配置されている。第２の表示領域は上記手首の背側面に対応して配置されている。この状態で、血圧測定を行おうとするユーザは、例えば製品の取扱説明書に従って、推奨血圧測定姿勢（典型的には、腕を曲げてテーブル上に肘を置いた上で、手首を前方斜め上へ向け、かつ、手首の掌側面を上へ向けた姿勢を指す。）をとる。そして、制御部は、血圧測定期間中は、その血圧測定に関する情報を上記第１の表示領域（手首の掌側面または橈側面に対応して配置されている）のみに表示する第１の制御を行う。ここで、上記推奨血圧測定姿勢は、上記第１の表示領域がユーザの目に向いた姿勢である。したがって、ユーザは、手首を捻るような動作を行うことなしに、推奨血圧測定姿勢のまま、上記第１の表示領域に表示された上記血圧測定に関する情報（例えば、その血圧測定の進捗状況を示す表示など）を見ることを促される。この状態で血圧測定が行われれば、血圧測定精度が高まる。このように、この機器によれば、血圧測定期間中、ユーザが推奨血圧測定姿勢をとるように促される。
【００１４】
本明細書で、「推奨血圧測定姿勢」とは、典型的には、上述のように、腕を曲げてテーブル上に肘を置いた上で、手首を前方斜め上へ向け、かつ、手首の掌側面を上へ向けた姿勢を指す。ただし、テーブルは必須ではない。また、「推奨血圧測定姿勢」は、前腕を体幹に対して前方で斜め（手が上、肘が下）に交差して挙げて、手首を心臓の高さレベルに維持し、かつ、手首の橈側面を上へ向けた姿勢であってもよい。
【００１５】
一方、上記血圧測定期間以外の期間は、制御部は、表示されるべき情報（血圧測定に関する情報を含む。）を上記第１または第２の表示領域に表示する第２の制御を行う。したがって、上記第１、第２の表示領域は、血圧測定機能を含む複数の機能のために活用され得る。
【００１６】
なお、例えば、特許文献２（特開平６−１０２３７８号公報）には、手首を取り巻いて装着される機器（情報表示装置）であって、周方向に関して複数の表示器（表示部材）を備えたものが開示されている。また、特許文献３（米国特許６２１６４９０号明細書）には、手首を取り巻いて装着される機器（ブレスレット）であって、周方向に関して略全域に表示要素（display elements）を備えたものが開示されている。しかしながら、本出願人が知る限り、従来は、手首を取り巻いて装着される機器であって、血圧測定機能に応じて表示領域を切り替えるものは無かった。
【００１７】
一実施形態の機器では、上記ベルトのうち上記手首の掌側面または橈側面に対応すべき部位に、上記血圧測定期間を開始すべき旨の指示を入力するための操作部が配置されていることを特徴とする。
【００１８】
この一実施形態の機器がベルトでユーザの手首を取り巻いて装着された状態では、操作部は上記手首の掌側面または橈側面に対応して配置されている。したがって、血圧測定を行おうとするユーザは、例えば製品の取扱説明書に従って推奨血圧測定姿勢をとり、その推奨血圧測定姿勢のまま、上記手首とは反対側の手で上記操作部を操作することによって、上記血圧測定期間を開始すべき旨の指示を容易に入力することができる。そのようにした場合、ユーザが推奨血圧測定姿勢をとった状態で、上記血圧測定期間が開始される。また、上記血圧測定期間中は、上述のように、ユーザが推奨血圧測定姿勢をとるように促される。この結果、血圧測定精度が高まる。
【００１９】
一実施形態の機器では、この機器が装着された手首の姿勢を検出して、上記手首の姿勢が推奨血圧測定姿勢に合致したとき、または、上記操作部を介して上記血圧測定期間の開始準備を行うべき旨の指示が入力されたとき、上記血圧測定期間の開始準備を行う開始モードに移行する開始部を備えたことを特徴とする。
【００２０】
本明細書で、「手首の姿勢」とは、水平面（典型的には、テーブル面）に対する手首（前腕）の傾斜角、および、手首の周りの掌側面の角度位置を含む。
【００２１】
また、推奨血圧測定姿勢に「合致した」とは、完全に一致した場合だけではなく、推奨血圧測定姿勢に対して予め定められた許容範囲に入ったことを含んでいてもよい。
【００２２】
また、上記血圧測定期間の「開始準備」とは、例えば第１、第２の表示領域をどのように使用するかの設定などを含む。
【００２３】
この一実施形態の機器では、開始部は、この機器が装着された手首の姿勢を検出して、上記手首の姿勢が推奨血圧測定姿勢に合致したとき、または、上記操作部を介して上記血圧測定期間の開始準備を行うべき旨の指示が入力されたとき、上記血圧測定期間の開始準備を行う開始モードに移行する。これにより、ユーザが推奨血圧測定姿勢をとった状態で、または、ユーザの希望に応じて、血圧測定期間の開始準備が行われる。この開始準備を経て、円滑に上記血圧測定期間が開始される。
【００２４】
一実施形態の機器では、
上記開始部は、
上記手首の姿勢が推奨血圧測定姿勢に対して予め定められた第１許容範囲内に入ったとき、上記開始モードに移行し、
上記開始モードにある期間中に、上記手首の姿勢が上記推奨血圧測定姿勢に対して上記第１許容範囲内に予め定められた第２許容範囲内に入ったとき、上記開始モードを終了して上記血圧測定期間を開始することを特徴とする。
【００２５】
ここで、例えば、「第１許容範囲」は、血圧測定期間の開始準備を行うのに足りる範囲として設定される。「第２許容範囲」は、血圧測定期間を開始するのにより好ましい範囲として設定される。「第１許容範囲内に予め定められた第２許容範囲」とは、典型的には、第２許容範囲が第１許容範囲よりも狭いことを意味するが、第２許容範囲が第１許容範囲と等しく設定されてもよい。
【００２６】
この一実施形態の機器では、上記開始部は、上記手首の姿勢が推奨血圧測定姿勢に対して予め定められた第１許容範囲内に入ったとき、上記開始モードに移行する。これにより、ユーザが概ね推奨血圧測定姿勢をとった状態で、血圧測定期間の開始準備が行われる。また、上記開始モードにある期間中に、上記手首の姿勢が上記推奨血圧測定姿勢に対して上記第１許容範囲内に予め定められた第２許容範囲内に入ったとき、上記開始モードを終了して上記血圧測定期間を開始する。したがって、ユーザが推奨血圧測定姿勢により近い姿勢をとった状態で、上記血圧測定期間が開始される。
【００２７】
一実施形態の機器では、上記開始モードにある期間中に、上記制御部は、上記血圧測定期間を開始するか否かを問い合わせる問合せ情報を、上記第１の表示領域のみに表示する第３の制御を行うことを特徴とする。
【００２８】
この一実施形態の機器では、上記開始モードにある期間中に、上記制御部は、上記血圧測定期間を開始するか否かを問い合わせる問合せ情報を、上記第１の表示領域のみに表示する第３の制御を行う。したがって、ユーザは、上記第１の表示領域に表示された問合せ情報を見て、血圧測定を行うか否か、つまり、上記血圧測定期間を開始するか否かの意思決定を促される。ユーザは、上記血圧測定期間を開始すべきことを意思決定した場合、例えば操作部を通して、上記血圧測定期間を開始すべき旨の指示を入力することができる。これにより、ユーザの希望に応じて上記血圧測定期間が開始され得る。
【００２９】
一実施形態の機器では、上記制御部は、上記第１の表示領域に上記問合せ情報を表示した後、上記操作部を介して上記血圧測定期間を開始すべき旨の指示が入力されたとき、上記制御部は、上記開始モードを終了して上記血圧測定期間を開始することを特徴とする。
【００３０】
この一実施形態の機器では、上記第１の表示領域に上記問合せ情報を表示した後、ユーザの希望に応じて上記血圧測定期間が開始され得る。
【００３１】
一実施形態の機器では、上記制御部は、この機器が装着された手首の姿勢を推奨血圧測定姿勢に合致させるように誘導する姿勢誘導情報を、上記血圧測定期間中であっても、上記第１または第２の表示領域に表示する第４の制御を行うことを特徴とする。
【００３２】
この機器が装着された手首の姿勢が推奨血圧測定姿勢に合致していない場合、例えば手首の掌側面が下を向いている場合は、上記第１の表示領域がユーザに見えず、上記第２の表示領域のみがユーザに見える状態となる。その場合、手首の姿勢を推奨血圧測定姿勢に合致させるようにユーザに促すべきであるが、促すための姿勢誘導情報を上記第１の制御に従って上記第１の表示領域のみに表示するのでは、上記第１の表示領域がユーザに見えないため、促す実効が伴わない。そこで、この一実施形態の機器では、上記制御部は、この機器が装着された手首の姿勢を推奨血圧測定姿勢に合致させるように誘導する姿勢誘導情報を、上記血圧測定期間中であっても、上記第１または第２の表示領域に表示する第４の制御を行う。つまり、上記「姿勢誘導情報」については、上記血圧測定期間中であっても、上記第１の表示領域のみに表示するのではなく、例外的に上記第２の表示領域にも表示する。上記血圧測定期間以外の期間には、上記「姿勢誘導情報」については、上記第２の制御に従って、上記第１または第２の表示領域に表示する。したがって、ユーザは、上記第１または第２の表示領域に表示された姿勢誘導情報を見て、手首の姿勢を推奨血圧測定姿勢に合致させるように促される。この誘導の結果、推奨血圧測定姿勢で血圧が測定されることになって、血圧測定精度が高まる。
【００３３】
一実施形態の機器では、上記制御部は、この機器が装着された手首が左手首と右手首とのいずれであるかを検出して、上記装着された手首が一方の手首であるとき、この機器を他方の手首に装着し直すように誘導する装着手首誘導情報を、上記血圧測定期間中であっても、上記第１または第２の表示領域に表示する第５の制御を行うことを特徴とする。
【００３４】
例えば、「一方の手首」は、左手首と右手首とのうち、この機器が装着されることが予定されていない手首を指す。「他方の手首」は、左手首と右手首とのうち、この機器が装着されることが予定されている手首を指す。
【００３５】
この一実施形態の機器では、上記制御部は、この機器が装着された手首が左手首と右手首とのいずれであるかを検出する。そして、上記装着された手首が一方の手首（例えば、右手首）であるとき、この機器を他方の手首（例えば、左手首）に装着し直すように誘導する装着手首誘導情報を、上記血圧測定期間中であっても、上記第１または第２の表示領域に表示する第５の制御を行う。つまり、上記「装着手首誘導情報」については、上記血圧測定期間中であっても、上記第１の表示領域のみに表示するのではなく、例外的に上記第２の表示領域にも表示する。上記血圧測定期間以外の期間には、上記「装着手首誘導情報」については、上記第２の制御に従って、上記第１または第２の表示領域に表示する。したがって、ユーザは、上記第１または第２の表示領域に表示された装着手首誘導情報を見て、この機器を一方の手首から他方の手首へ装着し直すように促される。この誘導の結果、他方の手首（例えば、左手首）で血圧が測定されることになって、血圧測定精度が高まる。
【００３６】
一実施形態の機器では、上記制御部は、上記第１または第２の表示領域に、上記姿勢誘導情報を手若しくは手首を含む画像、または、光の点灯若しくは点滅を用いて表示することを特徴とする。
【００３７】
本明細書で、「手または手首を含む画像」とは、イラストレーション、写真などの静止画であってもよいし、アニメーション、ビデオなどの動画であってもよい。「手または手首を含む画像」には、手および手首が含まれていてもよいし、また、上半身が含まれていてもよい。
【００３８】
この一実施形態の機器では、上記制御部は、上記第１または第２の表示領域に、上記姿勢誘導情報を手若しくは手首を含む画像、または、光の点灯若しくは点滅を用いて表示する。したがって、ユーザは、その画像または光を見て、上記姿勢誘導情報の内容を直感的に知ることができる。
【００３９】
一実施形態の機器では、上記制御部は、上記第１または第２の表示領域に、上記装着手首誘導情報を手若しくは手首を含む画像、または、光の点灯若しくは点滅を用いて表示することを特徴とする。
【００４０】
この一実施形態の機器では、上記制御部は、上記第１または第２の表示領域に、上記装着手首誘導情報を手または手首を含む画像、または、光の点灯若しくは点滅を用いて表示する。したがって、ユーザは、その画像または光を見て、上記装着手首誘導情報の内容を直感的に知ることができる。
【００４１】
一実施形態の機器では、
音を発する発音部、または、振動を発する振動器を備え、
上記制御部は、この機器が装着された手首の姿勢を推奨血圧測定姿勢に合致させるように誘導する姿勢誘導情報を、上記発音部の音、または、上記振動器の振動を用いて報知することを特徴とする。
【００４２】
この一実施形態の機器では、上記制御部は、この機器が装着された手首の姿勢を推奨血圧測定姿勢に合致させるように誘導する姿勢誘導情報を、上記発音部の音、または、上記振動器の振動を用いて報知する。したがって、ユーザは、その音または振動によって、手首の姿勢を推奨血圧測定姿勢に合致させるように促される。
【００４３】
一実施形態の機器では、
音を発する発音部、または、振動を発する振動器を備え、
上記制御部は、この機器が装着された手首が左手首と右手首とのいずれであるかを検出して、上記装着された手首が一方の手首であるとき、この機器を他方の手首に装着し直すように誘導する装着手首誘導情報を、上記発音部の音、または、上記振動器の振動を用いて報知することを特徴とする。
【００４４】
この一実施形態の機器では、上記制御部は、この機器が装着された手首が左手首と右手首とのいずれであるかを検出して、上記装着された手首が一方の手首であるとき、この機器を他方の手首に装着し直すように誘導する装着手首誘導情報を、上記発音部の音、または、上記振動器の振動を用いて報知する。したがって、ユーザは、その音または振動によって、この機器を一方の手首から他方の手首へ装着し直すように促される。
【００４５】
一実施形態の機器では、
上記ベルトのうち上記手首の掌側面または橈側面に対応すべき部位に配置された、この機器の機能に関する指示を入力するための第１の操作部と、
上記ベルトのうち上記手首の背側面に対応すべき部位に配置された、この機器の機能に関する指示を入力するための第２の操作部と
を備え、
上記血圧測定期間を開始すべき旨の指示の入力は、上記第１、第２の操作部のうち上記第１の操作部を通してのみ可能になっていることを特徴とする。
【００４６】
ここで、「上記第１、第２の操作部のうち上記第１の操作部を通してのみ可能になっている」とは、上記血圧測定期間を開始すべき旨の指示の入力が、上記第１の操作部を通して可能であり、かつ、上記第２の操作部を通して不可能になっていることを意味する。このことは、上記血圧測定期間を開始すべき旨の指示の入力を、上記第１、第２の操作部以外の他の手段によって行うことを否定するものではない。例えば、上記手首の姿勢を加速度センサによって検出して、上記手首の姿勢が推奨血圧測定姿勢に合致したとき、上記血圧測定期間の開始準備（または開始）を行うことを否定するものではない。
【００４７】
この一実施形態の機器がユーザの手首を取り巻いて装着された状態では、上記第１の操作部は、上記手首の掌側面または橈側面に対応して配置されている。上記第２の操作部は、上記ベルトのうち上記手首の背側面に対応すべき部位に配置されている。ユーザは、上記手首とは反対側の手で上記第１の操作部または上記第２の操作部を操作することによって、この機器の様々な機能に関する指示を入力することができる。ここで、この一実施形態の機器では、上記血圧測定期間を開始すべき旨の指示の入力は、上記第１、第２の操作部のうち上記第１の操作部を通してのみ可能になっている。この第１の操作部は上記手首の掌側面または橈側面に対応して配置されているので、血圧測定を行おうとするユーザは、上記手首とは反対側の手で上記第１の操作部を操作しようとして無意識に推奨血圧測定姿勢をとり、その推奨血圧測定姿勢で上記第１の操作部を操作することを促される。また、上記血圧測定期間中は、上述のように、その血圧測定に関する情報が上記第１の表示領域（手首の掌側面または橈側面に対応して配置されている）のみに表示されることによって、ユーザが推奨血圧測定姿勢をとるように促される。この結果、血圧測定精度が高まる。
【００４８】
別の局面では、この発明の機器は、
血圧測定機能を含む複数の機能を有し、手首を取り巻いて装着されるベルトを含む機器であって、
上記ベルトのうち上記手首の掌側面または橈側面に対応すべき部位に配置された、この機器の機能に関する指示を入力するための第１の操作部と、
上記ベルトのうち上記手首の背側面に対応すべき部位に配置された、この機器の機能に関する指示を入力するための第２の操作部と
を備え、
上記血圧測定期間を開始すべき旨の指示の入力は、上記第１、第２の操作部のうち上記第１の操作部を通してのみ可能になっていることを特徴とする。
【００４９】
この発明の機器がユーザの手首を取り巻いて装着された状態では、上記第１の操作部は、上記手首の掌側面または橈側面に対応して配置されている。上記第２の操作部は、上記ベルトのうち上記手首の背側面に対応すべき部位に配置されている。ユーザは、上記手首とは反対側の手で上記第１の操作部または上記第２の操作部を操作することによって、この機器の様々な機能に関する指示を入力することができる。ここで、この機器では、上記血圧測定期間を開始すべき旨の指示の入力は、上記第１、第２の操作部のうち上記第１の操作部を通してのみ可能になっている。この第１の操作部は上記手首の掌側面または橈側面に対応して配置されているので、血圧測定を行おうとするユーザは、上記手首とは反対側の手で上記第１の操作部を操作しようとして無意識に推奨血圧測定姿勢をとり、その推奨血圧測定姿勢で上記第１の操作部を操作することを促される。また、血圧測定期間中に、ユーザがそのまま推奨血圧測定姿勢をとり続け易い。この結果、血圧測定精度が高まる。
【発明の効果】
【００５０】
以上より明らかなように、この発明の機器によれば、ユーザが推奨血圧測定姿勢をとるように促すことができる。
【図面の簡単な説明】
【００５１】
【図１Ａ】この発明の一実施形態の機器の外観を示す斜視図である。
【図１Ｂ】上記機器を図１Ａにおける右側方から見たところを示す図である。
【図１Ｃ】上記機器を図１Ａにおける上方から見たところを示す図である。
【図１Ｄ】上記機器を図１Ａにおける手前から見たところを示す図である。
【図１Ｅ】上記機器を図１Ａにおける下方から見たところを示す図である。
【図２】上記機器を展開したところを示す平面図である。
【図３】上記機器のブロック構成を示す図である。
【図４】上記機器が血圧測定を行う際の概略的な動作フローを示す図である。
【図５Ａ】上記機器がユーザの左手首を取り巻いて装着された態様（掌側面の側）を示す図である。
【図５Ｂ】上記機器がユーザの左手首を取り巻いて装着された態様（背側面の側）を示す図である。
【図６】ユーザが上記機器を左手首に装着して、推奨血圧測定姿勢をとっている状態を示す図である。
【図７】ユーザが血圧測定を行おうとする姿勢をとった後、血圧測定開始までの、表示に関する動作フローを例示する図である。
【図８】図８（Ａ）、図８（Ｂ）は、それぞれ、ユーザが血圧測定を行おうとする姿勢をとった時点の第１の表示器の表示例、第２の表示器の表示例を示す図である。
【図９】図９（Ａ）、図９（Ｂ）は、それぞれ、血圧測定開始時の第１の表示器の表示例、第２の表示器の表示例を示す図である。
【図１０】図１０（Ａ）は、ユーザが血圧測定を行おうとする姿勢をとった後、血圧測定開始前の第１の表示器の表示例の表示例を示す図である。図１０（Ｂ）、図１０（Ｃ）は、ユーザが血圧測定を行おうとする姿勢をとった後、血圧測定開始前の第２の表示器の表示例を示す図である。
【図１１】ユーザが血圧測定を行おうとする姿勢をとった後、血圧測定開始までの、今回の血圧測定に関する情報の表示に関する動作フローを例示する図である。
【図１２】ユーザが血圧測定を行おうとする姿勢をとった後、血圧測定開始までの、血圧測定期間を開始するか否かの問合せ情報の表示に関する動作フローを例示する図である。
【図１３】ユーザが血圧測定を行おうとする姿勢をとった後、血圧測定開始までの、姿勢誘導情報の表示に関する動作フローを例示する図である。
【図１４】ユーザが血圧測定を行おうとする姿勢をとった後、血圧測定開始までの、装着手首誘導情報の表示に関する動作フローを例示する図である。
【図１５】図１５（Ａ）、図１５（Ｂ）は、それぞれ、ユーザが血圧測定を行おうとする姿勢をとった後、血圧測定開始前の、第１の表示器の表示例、第２の表示器の表示例を示す図である。
【図１６】図１６（Ａ）、図１６（Ｃ）は、ユーザが血圧測定を行おうとする姿勢をとった後、血圧測定開始前の第１の表示器の表示例を示す図である。図１６（Ｂ）は、ユーザが血圧測定を行おうとする姿勢をとった後、血圧測定開始前の第２の表示器の表示例を示す図である。
【図１７】図１７（Ａ）、図１７（Ｂ）は、それぞれ、ユーザが血圧測定を行おうとする姿勢をとった後、血圧測定開始前の、第１の表示器の表示例、第２の表示器の表示例を示す図である。
【図１８Ａ】血圧測定中に、図４の全体的な動作フローと並行して実行される姿勢誘導情報の表示に関する動作フローを示す図である。
【図１８Ｂ】図１８Ａとともに、血圧測定中に、図４の全体的な動作フローと並行して実行される姿勢誘導情報の表示に関する動作フローを示す図である。
【図１９】図１９（Ａ）、図１９（Ｂ）は、それぞれ、血圧測定期間中の第１の表示器の表示例、第２の表示器の表示例を示す図である。
【図２０】図２０（Ａ）、図２０（Ｂ）は、それぞれ、血圧測定期間中の第１の表示器の表示例、第２の表示器の表示例を示す図である。
【図２１】図２１（Ａ）、図２１（Ｂ）は、それぞれ、血圧測定期間中の第１の表示器の表示例、第２の表示器の表示例を示す図である。
【図２２】図２２（Ａ）、図２２（Ｂ）は、血圧測定開始時の第１の表示器の表示例を示す図である。また、図２２（Ｃ）、図２２（Ｄ）、図２２（Ｅ）は、血圧測定途中の第１の表示器の表示例を示す図である。
【図２３】図２３（Ａ）、図２３（Ｂ）、図２３（Ｃ）、図２３（Ｄ）は、血圧測定完了時の第１の表示器の表示例を示す図である。
【図２４Ａ】変形例の機器の外観を示す斜視図である。
【図２４Ｂ】上記機器を図２４Ａにおける右側方から見たところを示す図である。
【図２４Ｃ】上記機器を図２４Ａにおける上方から見たところを示す図である。
【図２４Ｄ】上記機器を図２４Ａにおける手前から見たところを示す図である。
【図２４Ｅ】上記機器を図２４Ａにおける下方から見たところを示す図である。
【図２５Ａ】上記変形例の機器がユーザの左手首を取り巻いて装着された態様（橈側面の側）を示す図である。
【図２５Ｂ】上記変形例の機器がユーザの左手首を取り巻いて装着された態様（背側面の側）を示す図である。
【発明を実施するための形態】
【００５２】
以下、この発明の実施の形態を、図面を参照しながら詳細に説明する。
【００５３】
（機器の構成）
図１Ａは、この発明の一実施形態の、血圧測定機能を含む複数の機能を有する機器（全体を符号１で示す。）の外観を斜めから見たところ示している。図１Ｂ、図１Ｃ、図１Ｄ、図１Ｅは、それぞれ機器１を図１Ａにおける右側方、上方、手前、下方から見たところを示している。また、図２は、機器１を展開したところを示している。この機器１は、ユーザの左手首に装着されることを予定している。
【００５４】
これらの図に示すように、この機器１は、大別して、ユーザの左手首に巻き付けられるべきベルト２０と、このベルト２０に一体に取り付けられた２つの本体１０Ａ，１０Ｂとを有している。
【００５５】
ベルト２０は、左手首を周方向に沿って取り巻くように細長い形状を有し、左手首に接すべき帯状の内層２０ａと、この内層２０ａに対向する外層２０ｂとを備えている。これらの内層２０ａと外層２０ｂとは、この例では互いの周縁が溶着されて袋状に形成されている。このベルト２０内には、左手首を圧迫するための流体袋２１（図３参照）が内包されている。
【００５６】
内層２０ａの表面（左手首に接すべき内周面）には、面ファスナを構成するために、図示しない多数の微細なフックが設けられている。一方、外層２０ｂの表面（外周面）には、上記フックと係合する図示しない多数の微細なループが形成されている。
【００５７】
本体１０Ａ，１０Ｂは、それぞれ略直方体状の外形を有している。この例では、後述の搭載部品の数に応じて、１つの本体１０Ａよりも、もう１つの本体１０Ｂの方が厚く、大型に構成されている。本体１０Ａは、ユーザの日常活動の邪魔にならないように、本体１０Ｂよりも薄く、小型に構成されている。
【００５８】
本体１０Ａは、ベルト２０のうち、周方向（図２では、長手方向Ｌに相当）に関して、一端（装着時に内周端となる端部）２０ｅと他端（装着時に外周端となる端部）２０ｆとの間の略中央の部位に、一体に取り付けられている。本体１０Ａの外面には、第１の表示領域をなすタッチパネル式の第１の表示器５０Ａが設けられている。また、本体１０Ａには、この機器の機能に関する指示を入力するための操作部として第１の操作部５２Ａが設けられている。
【００５９】
本体１０Ｂは、ベルト２０のうち、周方向（図２では、長手方向Ｌに相当）に関して、装着時に外周端となる端部２０ｆ近傍の部位に、一体に取り付けられている。本体１０Ｂの外面には、第２の表示領域をなすタッチパネル式の第２の表示器５０Ｂが設けられている。また、本体１０Ｂには、この機器の機能に関する指示を入力するための第２の操作部５２Ｂが設けられている。
【００６０】
機器１を左手首に装着する際には、この例では図５Ａ，図５Ｂに示すように、左手首９０の周りにベルト２０が巻き付けられる。ベルト２０の端部２０ｆ近傍の内層２０ａの表面が、対応する外層２０ｂの表面に押しつけられて、上述の面ファスナによって固定される。このとき、図５Ａに示すように左手首９０の掌側面（手首の外周のうち手の平側に相当する部分の面）９０ａに対応して第１の表示器５０Ａ（および本体１０Ａ）が配置されるとともに、図５Ｂに示すように左手首９０の背側面（手首の外周のうち手の甲側に相当する部分の面）９０ｂに対応して第２の表示器５０Ｂ（および本体１０Ｂ）が配置される。
【００６１】
図３は、機器１のベルト２０と本体１０Ａ，１０Ｂの概略的なブロック構成を示している。この機器１は、血圧測定機能のほか、時計機能、体温測定機能、活動量測定機能などの複数の機能を備えている。
【００６２】
この機器１の本体１０Ａには、既述の第１の表示器５０Ａ、および、第１の操作部５２Ａが搭載されている。本体１０Ｂには、制御部としてのＣＰＵ（Central Processing Unit）１００、第２の表示器５０Ｂ、第２の操作部５２Ｂ、記憶部としてのメモリ５１、通信部５９、電源部５３、ポンプ３２、弁３３、圧力センサ３１、および加速度センサ３４が搭載されている。さらに、本体１０Ｂには、圧力センサ３１からの出力を周波数に変換する発振回路３１０、ポンプ３２を駆動するポンプ駆動回路３２０、弁３３を駆動する弁駆動回路３３０、加速度センサ３４からの出力をＡＤ（Analog to Digital）変換するＡＤ変換器３４０が搭載されている。本体１０Ａ内の第１の表示器５０Ａ、第１の操作部５２Ａは、この例ではベルト２０内を通る配線１９を介して、本体１０Ｂ内のＣＰＵ１００と電気的に接続されている。
【００６３】
表示器５０Ａ，５０Ｂは、この例では有機ＥＬ（Electro Luminescence）ディスプレイからなり、ＣＰＵ１００からの制御信号に従って、各種情報を表示する。表示される情報としては、例えば、血圧測定によって得られた血圧値その他の血圧に関する情報、時計機能によって得られた時刻、体温測定機能によって得られた体温測定値、活動量測定機能によって得られた活動量測定値などが含まれる。これらの情報がいずれの表示器５０Ａ，５０Ｂに表示されるか、および、表示される時期（期間）については、後述する。なお、表示器５０Ａ，５０Ｂのタイプは、有機ＥＬディスプレイに限られるものではなく、ＬＣＤ（Liquid Cristal Display）など、他のタイプの表示器であってもよい。
【００６４】
第１の操作部５２Ａは、プッシュ式スイッチを含んでいる。このプッシュ式スイッチは、本体１０Ａに対して沈降可能に弾性材（図示せず）によって支持されているストローク部材（表示器５０Ａ自体からなる）と、本体１０Ａ内部に設けられ、上記ストローク部材が沈降するか否かに応じてオン、オフする接点（図示せず）とを含んでいる。この例では、このプッシュ式スイッチをユーザが押すことによって、この機器１の機能に関する指示として、例えば血圧測定（血圧測定期間）を開始すべき旨の操作信号がＣＰＵ１００に入力され得る。
【００６５】
第２の操作部５２Ｂは、本体１０Ｂを構成する枠部材に設けられた複数（この例では、３個）のプッシュ式スイッチを含んでいる。これらのプッシュ式スイッチをユーザが押すことによって、この機器１の機能に関する指示として様々な操作信号がＣＰＵ１００に入力される。ただし、この機器１では、血圧測定（血圧測定期間）を開始すべき旨の操作信号は、第１の操作部５２Ａを通してのみ入力可能であり、第２の操作部５２Ｂを通しての入力は不可能になっている。
【００６６】
また、この例では、操作部５２Ａ，５２Ｂは、それぞれ表示器５０Ａ，５０Ｂの外面に設けられたタッチパネルを含んでいる。このタッチパネルは、感圧式（抵抗式）であっても、近接式（静電容量式）であってもよい。このタッチパネルを介して、ＣＰＵ１００からの制御信号に従って表示器５０Ａ，５０Ｂに表示されたソフトキー（図示せず）をユーザが押すことによっても、操作信号がＣＰＵ１００に入力される。例えば、第１の表示器５０Ａに表示された「血圧測定開始」スイッチ（図示せず）をユーザが押すと、血圧測定開始の指示が入力され得る。また、図示しないマイクロフォンを備えて、ユーザの音声によって血圧測定開始の指示を入力するようにしてもよい。
【００６７】
メモリ５１は、機器１を制御するためのプログラムのデータ、機器１を制御するために用いられるデータ、機器１の各種機能を設定するための設定データ、血圧値の測定結果のデータなどを非一時的に記憶する。また、メモリ５１は、プログラムが実行されるときのワークメモリなどとして用いられる。
【００６８】
ＣＰＵ１００は、メモリ５１に記憶された機器１を制御するためのプログラムに従って、制御部として各種機能を実行する。例えば、血圧測定機能を実行する場合は、ＣＰＵ１００は、第１の操作部５２Ａからの操作信号に応じて、ポンプ３２や弁３３を駆動する制御を行う。また、ＣＰＵ１００は、圧力センサ３１からの信号に基づいて、血圧値を算出する制御を行う。さらに、ＣＰＵ１００は、加速度センサ３４の出力に基づいて、ユーザの姿勢を検出する制御を行う。
【００６９】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介した通信は、無線、有線のいずれでも良い。この実施形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。
【００７０】
電源部５３は、ＣＰＵ１００、圧力センサ３１、ポンプ３２、弁３３、加速度センサ３４、表示器５０Ａ，５０Ｂ、操作部５２Ａ，５２Ｂ、メモリ５１、通信部５９、発振回路３１０、ポンプ駆動回路３２０、弁駆動回路３３０、およびＡＤ変換器３４０の各部に電力を供給する。
【００７１】
ポンプ３２、弁３３および圧力センサ３１は、配管系としての共通のエア配管３９を介して、ベルト２０に内包されている流体袋２１に接続されている。ポンプ３２は、ベルト２０に内包された流体袋２１内の圧力（カフ圧）を加圧するために、エア配管３９を通して流体袋２１に空気を供給する。弁３３は、通電によって開閉が制御される電磁弁であり、流体袋２１の空気をエア配管３９を通して排出し、または封入してカフ圧を制御するために用いられる。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００７２】
圧力センサ３１は、この例ではピエゾ抵抗式圧力センサであり、エア配管３９を通してベルト２０（流体袋２１）の圧力、この例では大気圧を基準（ゼロ）とした圧力を検出して時系列のカフ圧信号Ｐｃとして出力する。発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００７３】
この例では、圧力センサ３１の出力は、オシロメトリック法によって、ユーザの血圧値（収縮期血圧（Systolic Blood Pressure）と拡張期血圧（Diastolic Blood Pressure）とを含む。以下同様。）を算出するのに用いられる。また、圧力センサ３１の出力は、脈拍を算出するのに用いられる。
【００７４】
加速度センサ３４は、本体１０Ｂ内に一体に内蔵された３軸加速度センサからなる。この加速度センサ３４は、本体１０Ｂの、したがって本体１０Ｂと一体に取り付けられたベルト２０の、互いに直交する３方向の加速度を表す加速度信号を、ＡＤ変換器３４０を介してデジタル信号として、ＣＰＵ１００に出力する。
【００７５】
この例では、図５（Ｂ）中に示すように、本体１０Ｂ内の加速度センサ３４の位置を原点として、ＸＹＺ直交座標系が設定されている。この例では、Ｚ軸は、本体１０Ｂの外面に対して垂直に外へ向かって設定されている。Ｙ軸は、機器１が既述のように左手首９０に装着された状態で、ユーザの左手首９０に沿って手から肘へ向かう向きに設定されている。また、Ｘ軸は、Ｙ軸とＺ軸に対して垂直に設定されている（図５（Ｂ）では、ユーザから見て概ね左側方へ向かっている。）。
【００７６】
この例では、加速度センサ３４の出力は、上記ＸＹＺ直交座標系に対する重力加速度ベクトルＧの向きに応じて、ユーザの左手首９０の姿勢（手首を前方斜め上へ向け、かつ、手の平を上へ向けた姿勢をとっているか否か）を検出するのに用いられる。この加速度センサ３４の出力を用いた手首の姿勢の検出の仕方自体は、例えば特開２００７−０５４６４８号公報、特開２０１４−０６４６６６号公報などにより公知であるため、本明細書では詳細な説明を省略する。
【００７７】
また、加速度センサ３４の出力は、上記ＸＹＺ直交座標系に対する重力加速度ベクトルＧの向きに応じて、この機器１が装着された手首が左手首と右手首とのいずれであるかを検出するのに用いられる。この装着された手首が左手首と右手首とのいずれであるかの検出の仕方自体は、例えば特開２００８−３０７２０７号公報などにより公知であるため、本明細書では詳細な説明を省略する。
【００７８】
この機器１では、時計機能は、ＣＰＵ１００が内蔵するクロックによって実現される。体温測定機能は、図示しない温度計の出力を用いて実現される。活動量測定機能は、加速度センサ３４の出力を用いて実現される。
【００７９】
（血圧測定機能と表示例）
図５Ａ，図５Ｂに示したように、この機器１がユーザの左手首９０に装着された状態では、表示器５０Ａ，５０Ｂはそれぞれ左手首９０の掌側面９０ａ，背側面９０ｂに対応して配置されている。この状態で、ユーザは、血圧測定を行おうとする姿勢として、例えば製品の取扱説明書に従って、図６に示したような推奨血圧測定姿勢（腕を曲げてテーブル上に肘を置いた上で、左手首９０を前方斜め上へ向け、かつ、左手首９０の掌側面９０ａを上へ向けた姿勢）をとる。この時点では、図８（Ａ）に示すように、第１の表示器５０Ａは非表示モードにあり、また、図８（Ｂ）に示すように、第２の表示器５０Ｂは表示モードで時計機能による表示（この例では、年月日を表す表示「２０１４／１１／１９」と、時刻を表す表示「１０：３０」）Ｎ１と、活動量測定機能による表示（この例では、歩数を表す表示「２，３８０」）Ｎ２とがなされているものとする。
【００８０】
この状態で、図７のステップＳ１１に示すように、ユーザが例えば本体１０Ａに設けられた第１の操作部５２Ａとしてのプッシュ式スイッチを右手で押すと（図７のステップＳ１２でＹＥＳ）、ＣＰＵ１００は、血圧測定（血圧測定期間）を開始すべき旨の指示が入力されたと判断する。このように、ユーザは、推奨血圧測定姿勢のまま、左手首９０とは反対側の手（この例では、右手）で第１の操作部５２Ａを操作することによって、血圧測定期間を開始すべき旨の指示を容易に入力することができる。
【００８１】
ここで、ユーザが推奨血圧測定姿勢をとるべきことをあまり意識していないような場合も想定される。しかし、この機器１がユーザの左手首９０に装着された状態では、第１の操作部５２Ａは左手首９０の掌側面９０ａに配置されている。したがって、そのような場合であっても、血圧測定を行おうとするユーザは、右手で第１の操作部５２Ａを操作しようとして無意識に推奨血圧測定姿勢をとり、その推奨血圧測定姿勢で第１の操作部５２Ａを操作することを促される。また、次に述べる血圧測定期間中に、ユーザがそのまま推奨血圧測定姿勢をとり続け易い。
【００８２】
続いて、ＣＰＵ１００は、第１の表示器５０Ａを表示モード、第２の表示器５０Ｂを非表示モードとし（図７のステップＳ１３）、続いて、その（今回の）血圧測定に関する情報Ａを第１の表示器５０Ａに表示する（図７のステップＳ１４）。この例では、図９（Ａ）に示すように、第１の表示器５０Ａに、今回の血圧測定に関する情報として血圧測定の準備中であることを表す下向きの矢印マークＭ１を表示する。一方、図９（Ｂ）に示すように、第２の表示器５０Ｂはブランクとなる。このようにして、ＣＰＵ１００は、今回の血圧測定に関する情報を第１の表示器５０Ａのみに表示する（第１の制御）。これにより、血圧測定（血圧測定期間）が開始される。
【００８３】
図４は、機器１が血圧測定を行う際の概略的な動作フローを示している。血圧測定開始に際して、ＣＰＵ１００は、処理用メモリ領域を初期化し、弁駆動回路３３０に制御信号を出力する。弁駆動回路３３０は、制御信号に基づいて、弁３３を開放してベルト２０の流体袋２１内の空気を排気する。続いて、圧力センサ３１の０ｍｍＨｇの調整を行う制御を行う。
【００８４】
血圧測定を開始すると、まず、ＣＰＵ１００は、弁駆動回路３３０を介して弁３３を閉鎖し、その後、ポンプ駆動回路３２０を介してポンプ３２を駆動して、流体袋２１に空気を送る制御を行う。これにより、流体袋２１を膨張させるとともにカフ圧を徐々に加圧していく（図４のステップＳＴ１０１）。
【００８５】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２１を収縮させるとともにカフ圧を徐々に減圧していく（ステップＳＴ１０３）。
【００８６】
ここで、所定の圧力とは、被験者の収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照）。
【００８７】
また、減圧速度については、カフ圧の加圧中に目標となる目標減圧速度を設定し、その目標減圧速度になるようにＣＰＵ１００が弁３３の開口度を制御する（同公報参照）。
【００８８】
上記減圧過程において、圧力センサ３１がベルト２０の圧力を検出してカフ圧信号Ｐｃを出力する。ＣＰＵ１００は、このカフ圧信号Ｐｃに基づいて、オシロメトリック法により公知のアルゴリズムを適用して血圧値（収縮期血圧と拡張期血圧）を算出する（ステップＳＴ１０４）。また、ＣＰＵ１００は、カフ圧信号Ｐｃに基づいて、脈拍も算出する。なお、血圧値、脈拍の算出は、減圧過程に限らず、加圧過程において行われてもよい。
【００８９】
血圧値を算出して決定すると（ステップＳＴ１０５でＹＥＳ）、ＣＰＵ１００は、第１の制御を行って、今回の血圧測定に関する情報としてその血圧値（例えば、後述の図２３（Ａ）参照）を第１の表示器５０Ａのみに表示する（ステップＳＴ１０６）。また、ＣＰＵ１００は、血圧値をメモリ５１へ保存する制御を行う（ステップＳＴ１０７）。
【００９０】
測定が終了すると、ＣＰＵ１００は、弁駆動回路３３０を介して弁３３を開放し、ベルト２０の流体袋２１内の空気を排気する制御を行う（ステップＳＴ１０８）。これにより、血圧測定（血圧測定期間）を終了する。
【００９１】
このように、ＣＰＵ１００は、血圧測定期間中は、今回の血圧測定に関する情報を第１の表示器５０Ａ（左手首９０の掌側面９０ａに対応して配置されている）のみに表示する（第１の制御）。ここで、推奨血圧測定姿勢は、第１の表示器５０Ａがユーザの目に向いた姿勢である。したがって、ユーザは、左手首９０を捻るような動作を行うことなしに、推奨血圧測定姿勢のまま、第１の表示器５０Ａに表示された今回の血圧測定に関する情報（上の例では、血圧値）を見ることを促される。したがって、血圧測定精度が高まる。
【００９２】
なお、「今回の血圧測定に関する情報」には、例えば、過去の血圧測定によって得られた血圧値、血圧測定以外の他の機能に関する情報（例えば、時計機能によって得られた時刻、体温測定機能によって得られた体温測定値、活動量測定機能によって得られた活動量測定値など）などは、含まれない。
【００９３】
一方、血圧測定期間以外の期間は、ＣＰＵ１００は、表示されるべき情報（血圧測定に関する情報を含む。）を第１の表示器５０Ａまたは第２の表示器５０Ｂに表示する（第２の制御）。したがって、表示器５０Ａ，５０Ｂは、血圧測定機能を含む複数の機能のために活用され得る。
【００９４】
（変形例１）
上の図７のフローでは、ユーザが先ず推奨血圧測定姿勢（図６）をとったものとして処理を開始したが、これに限られるものではない。図１１のフローに示すように、ユーザの血圧測定を行おうとする姿勢（左手首９０の姿勢）が推奨血圧測定姿勢（図６）に合致するか否かを判断してから処理を開始してもよい。
【００９５】
具体的には、ＣＰＵ１００は、先ず図１１のステップＳ２１に示すように、加速度センサ３４の出力を用いて、血圧測定を行おうとしているユーザの左手首９０の姿勢を検出する。この時点では、図８（Ａ）に示すように、第１の表示器５０Ａは非表示モードにあり、また、図８（Ｂ）に示すように、第２の表示器５０Ｂは表示モードで時計機能による表示Ｎ１と、活動量測定機能による表示Ｎ２とがなされているものとする。
【００９６】
続いて、ＣＰＵ１００は、ユーザの左手首９０の姿勢が推奨血圧測定姿勢（図６）に合致するか否かを判断する（図１１のステップＳ２２）。この「左手首９０の姿勢」とは、図６中のテーブル面（水平面）に対する手首（前腕）の傾斜角θ、および、手首の周りの掌側面の角度位置φ（図５Ａ参照）を含んでいる。ＣＰＵ１００は、ユーザの左手首９０の姿勢が推奨血圧測定姿勢に合致するまで待つ（図１１のステップＳ２２でＮＯからステップＳ２１へ戻るループ）。なお、左手首９０の傾斜角θについては、下限θＬから上限θＵまでの予め定められた許容角度範囲があるものとする。適宜、傾斜角θについての許容角度範囲を（θＬ，θＵ）のように表す。また、左手首９０の周りの掌側面９０ａの角度位置φについても予め定められた許容角度範囲（掌側面９０ａが真上を向いているときをφ＝０とし、ユーザから見て左回りの限界角度φＬから右回りの限界角度φＲまでの範囲とする。ただし、φＬ＜０、φＲ＞０とする。）があるものとする。適宜、左手首９０の周りの掌側面９０ａの角度位置φについての許容角度範囲を（φＬ，φＲ）のように表す。この例では、左手首９０の傾斜角θが許容角度範囲（θＬ，θＵ）内に入り、かつ、左手首９０の周りの掌側面９０ａの角度位置φが許容角度範囲（φＬ，φＲ）内に入れば、左手首９０の姿勢が推奨血圧測定姿勢に合致したものとして取り扱われる。
【００９７】
ユーザの左手首９０の姿勢が推奨血圧測定姿勢に合致したら（図１１のステップＳ２２でＹＥＳ）、ＣＰＵ１００は、開始部として働いて血圧測定（血圧測定期間）の開始準備を行う開始モードに移行する。そして、ＣＰＵ１００は、血圧測定期間の開始準備として、第１の表示器５０Ａを表示モード、第２の表示器５０Ｂを非表示モードとし（図１１のステップＳ２３）、続いて、今回の血圧測定に関する情報Ａを第１の表示器５０Ａに表示する（図１１のステップＳ２４）。この例では、図９（Ａ）に示すように、第１の表示器５０Ａに、今回の血圧測定に関する情報として血圧測定の準備中であることを表す下向きの矢印マークＭ１を表示する。一方、図９（Ｂ）に示すように、第２の表示器５０Ｂはブランクとなる。このようにして、ＣＰＵ１００は、今回の血圧測定に関する情報Ａを第１の表示器５０Ａのみに表示する（第１の制御）。この開始準備を経て、血圧測定（血圧測定期間）が開始され、図４のフローに従って血圧測定が行われる。
【００９８】
このようにした場合、ユーザが概ね推奨血圧測定姿勢をとった状態で、血圧測定期間の開始準備が行われる。この開始準備を経て、円滑に上記血圧測定期間が開始される。
【００９９】
（変形例２）
上の図１１のフローでは、ユーザの血圧測定を行おうとする姿勢（左手首９０の姿勢）が推奨血圧測定姿勢（図６）に合致すると（図１１のステップＳ２２でＹＥＳ）、ステップＳ２３，Ｓ２４を経て、自動的に血圧測定期間を開始するものとした。しかしながら、これに限られるものではなく、図１２のフローに示すように、左手首９０の姿勢を、推奨血圧測定姿勢に対して比較的広い第１許容範囲とこの第１許容範囲内に設定された第２許容範囲との２段階で判定して、左手首９０の姿勢が第１許容範囲内に入った段階では、血圧測定期間を開始するか否かの問合せ情報を表示してもよい。
【０１００】
この例では、「第１許容範囲」は、血圧測定期間の開始準備を行うのに足りる範囲として設定される。左手首９０の傾斜角θについては、下限θＬ１から上限θＵ１までの第１許容角度範囲が設定される。左手首９０の周りの掌側面９０ａの角度位置φについては、左回りの限界角度φＬ１から右回りの限界角度φＲ１までの第１許容角度範囲が設定される。また、「第２許容範囲」は、血圧測定期間を開始するのにより好ましい範囲として設定される。左手首９０の傾斜角θについては、下限θＬ２から上限θＵ２までの第２許容角度範囲が設定される。左手首９０の周りの掌側面９０ａの角度位置φについては、左回りの限界角度φＬ２から右回りの限界角度φＲ２までの第２許容角度範囲が設定される。角度の設定値の間には、θＬ１≦θＬ２＜θＵ２≦θＵ１なる関係があり、また、φＬ１≦φＬ２＜０＜φＲ２≦φＲ１なる関係がある。
【０１０１】
具体的には、ユーザが、例えば製品の取扱説明書に従って、血圧測定を行おうとする姿勢をとる。この時点では、図８（Ａ）に示すように、第１の表示器５０Ａは非表示モードとされ、また、図８（Ｂ）に示すように、第２の表示器５０Ｂには時計機能による表示Ｎ１と、活動量測定機能による表示Ｎ２とがなされているものとする。
【０１０２】
ＣＰＵ１００は、図１２のステップＳ２５に示すように、加速度センサ３４の出力を用いて、ユーザの左手首９０の姿勢を検出し、図１２のステップＳ２６に示すように、ユーザの左手首９０の姿勢が推奨血圧測定姿勢（図６）に対して第１許容範囲内に入ったか否かを判断する。具体的には、左手首９０の傾斜角θが第１許容角度範囲（θＬ１，θＵ１）内に入り、かつ、左手首９０の周りの掌側面９０ａの角度位置φが第１許容角度範囲（φＬ１，φＲ１）内に入ったか否かを判断する。ＣＰＵ１００は、ユーザの左手首９０の姿勢が推奨血圧測定姿勢に対して第１許容範囲内に入るまで待つ（図１２のステップＳ２６でＮＯからステップＳ２５へ戻るループ）。
【０１０３】
ユーザの左手首９０の姿勢が推奨血圧測定姿勢に対して第１許容範囲内に入ったら（図１２のステップＳ２６でＹＥＳ）、ＣＰＵ１００は、開始部として働いて血圧測定（血圧測定期間）の開始準備を行う開始モードに移行する。そして、ＣＰＵ１００は、血圧測定期間の開始準備として、第１の表示器５０Ａを表示モード、第２の表示器５０Ｂを非表示モードとする（図１２のステップＳ２７）。
【０１０４】
続いて、ＣＰＵ１００は、図１２のステップＳ２８に示すように、ユーザの左手首９０の姿勢が推奨血圧測定姿勢に対して第１許容範囲よりも狭い第２許容範囲内に入ったか否かを判断する。具体的には、左手首９０の傾斜角θが第２許容角度範囲（θＬ２，θＵ２）内に入り、かつ、左手首９０の周りの掌側面９０ａの角度位置φが第２許容角度範囲（φＬ２，φＲ２）内に入ったか否かを判断する。
【０１０５】
ユーザの左手首９０の姿勢が推奨血圧測定姿勢に対して第２許容範囲内に入ったら（図１２のステップＳ２８でＹＥＳ）、ＣＰＵ１００は、開始モードを終了して、血圧測定（血圧測定期間）を開始する。これにより、図４のフローに従って血圧測定が行われる。
【０１０６】
一方、ユーザの左手首９０の姿勢が推奨血圧測定姿勢に対して第１許容範囲内に入っているが、第２許容範囲内に入っていなければ、具体的には、左手首９０の傾斜角θが第２許容角度範囲（θＬ２，θＵ２）から外れ、または、左手首９０の周りの掌側面９０ａの角度位置φが第２許容角度範囲（φＬ２，φＲ２）から外れていれば、（図１２のステップＳ２８でＮＯ）、ＣＰＵ１００は、ユーザに対して血圧測定期間を開始するか否かを問い合わせる問合せ情報を第１の表示器５０Ａに表示する（図１２のステップＳ２９）。この例では、図１５（Ａ）に示すように、第１の表示器５０Ａに、問合せ情報として「ＯＮ？」という文字列を表示する。一方、図１５（Ｂ）に示すように、第２の表示器５０Ｂはブランクとなる。このようにして、ＣＰＵ１００は、開始モードにある期間中に、血圧測定期間を開始するか否かを問い合わせる問合せ情報を第１の表示器５０Ａのみに表示する（第３の制御）。したがって、ユーザは、第１の表示器５０Ａに表示された問合せ情報を見て、血圧測定を行うか否か、つまり、血圧測定期間を開始するか否かの意思決定を促される。ユーザは、血圧測定期間を開始すべきことを意思決定した場合、例えば本体１０Ａに設けられた第１の操作部５２Ａとしてのプッシュ式スイッチを右手で押して、血圧測定期間を開始すべき旨の指示を入力することができる（図１２のステップＳ３０でＹＥＳ）。これにより、ユーザの希望に応じて血圧測定期間が開始される。なお、血圧測定期間を開始すべき旨の指示が入力されない場合は（図１２のステップＳ３０でＮＯ）、ＣＰＵ１００は、ステップＳ２５〜Ｓ３０の処理を繰り返す。
【０１０７】
なお、図１２のフローでは、ユーザの左手首９０の姿勢が推奨血圧測定姿勢に対して第１許容範囲内に入ったら（図１２のステップＳ２６でＹＥＳ）、開始モードに移行するものとした。しかしながら、これに限られるものではなく、ユーザが本体１０Ａに設けられた第１の操作部５２Ａとしてのプッシュ式スイッチを右手で押すと、開始モードに移行するものとしてもよい。これにより、ユーザの希望に応じて、血圧測定期間の開始準備を行うことができる。
【０１０８】
（変形例３）
上の図１１、図１２のフローでは、ＣＰＵ１００は、ユーザの左手首９０の姿勢が推奨血圧測定姿勢に合致するまで、または、推奨血圧測定姿勢に対して第１許容範囲内に入るまで、単に待つものとした（図１１のステップＳ２２でＮＯからステップＳ２１へ戻るループ、図１２のステップＳ２６でＮＯからステップＳ２５へ戻るループ）。しかしながら、これに限られるものではなく、図１３のフローに示すように、ユーザが推奨血圧測定姿勢をとるように、血圧測定（血圧測定期間）の開始前に姿勢誘導情報を表示してもよい。
【０１０９】
具体的には、ユーザが、例えば製品の取扱説明書に従って、血圧測定を行おうとする姿勢をとる。この時点では、図８（Ａ）に示すように、第１の表示器５０Ａは非表示モードとされ、また、図８（Ｂ）に示すように、第２の表示器５０Ｂには時計機能による表示Ｎ１と、活動量測定機能による表示Ｎ２とがなされているものとする。
【０１１０】
この状態で、図１３のステップＳ３１に示すように、ユーザが例えば本体１０Ａに設けられた第１の操作部５２Ａとしてのプッシュ式スイッチを右手で押すと（図１３のステップＳ３２でＹＥＳ）、ＣＰＵ１００は、図１３のステップＳ３３に示すように、加速度センサ３４の出力を用いて、血圧測定を行おうとしているユーザの左手首９０の姿勢、この例では特に左手首９０の周りの掌側面９０ａの角度位置φを検出する。ここでは、左手首９０の掌側面９０ａが上を向いているか否かを検出する。そして、ＣＰＵ１００は、ユーザの左手首９０の周りの掌側面９０ａの角度位置φが推奨血圧測定姿勢（図６）に合致しているか否かを判断する。具体的には、左手首９０の掌側面９０ａが上を向いていれば（すなわち、左手首９０の周りの掌側面９０ａの角度位置φが許容角度範囲（φＬ，φＲ）内にあれば）、推奨血圧測定姿勢に合致していると判断する一方、左手首９０の掌側面９０ａが上を向いていなければ（すなわち、左手首９０の周りの掌側面９０ａの角度位置φが許容角度範囲（φＬ，φＲ）外にあれば）、推奨血圧測定姿勢に合致していないと判断する。
【０１１１】
ここで、ユーザの左手首９０の周りの掌側面９０ａの角度位置φが推奨血圧測定姿勢に合致していなければ（図１３のステップＳ３３でＮＯ）、ＣＰＵ１００は、第１の表示器５０Ａ（この時、ユーザから見えない状態にある）の非表示モード、第２の表示器５０Ｂ（この時、ユーザから見える状態にある）の表示モードを維持する（図１３のステップＳ３４）。続いて、ＣＰＵ１００は、図１３のステップＳ３５で、図１０（Ｂ）に示すように、この例では第２の表示器５０Ｂに、左手首９０の掌側面９０ａを上に向かせるように誘導する姿勢誘導情報を、画像として表示する（第２の制御）。この図１０（Ｂ）の画像は、左手（および左手首）を示すイラストレーションＭ２と、その左手（および左手首）を裏返すことを示す矢印マークＭ３とを含んでいる。さらに、ＣＰＵ１００は、その画像に続いて、図１０（Ｃ）に示すように、第２の表示器５０Ｂに、「測定開始できません」というメッセージを表示する。これらの図１０（Ｂ）の画像と図１０（Ｃ）のメッセージとを一定周期（例えば０．５秒間から数秒間までの範囲内の周期）で繰り返してもよい。なお、第２の表示器５０Ｂで図１０（Ｂ）、図１０（Ｃ）の表示が行われている間、図１０（Ａ）に示すように、第１の表示器５０Ａはブランクになっている。
【０１１２】
ユーザは、図１０（Ｂ）の画像と図１０（Ｃ）のメッセージとを見て、自分が左手および左手首９０を裏返すべきことを直感的に知ることができる。つまり、ユーザは、左手および左手首９０を裏返して推奨血圧測定姿勢をとることを促される。
【０１１３】
ユーザの左手首９０の周りの掌側面９０ａの角度位置φが推奨血圧測定姿勢に合致したら（図１３のステップＳ３３でＹＥＳ）、ＣＰＵ１００は、第１の表示器５０Ａを表示モード、第２の表示器５０Ｂを非表示モードとし（図１３のステップＳ３６）、続いて、今回の血圧測定に関する情報を第１の表示器５０Ａに表示する（図１３のステップＳ３７）。この例では、図９（Ａ）に示すように、第１の表示器５０Ａに、今回の血圧測定に関する情報として血圧測定の準備中であることを表す下向きの矢印マークＭ１を表示する。一方、図９（Ｂ）に示すように、第２の表示器５０Ｂはブランクとなる。このようにして、ＣＰＵ１００は、今回の血圧測定に関する情報を第１の表示器５０Ａのみに表示する（第１の制御）。これにより、血圧測定（血圧測定期間）が開始され、図４のフローに従って血圧測定が行われる。
【０１１４】
このようにした場合、ユーザが推奨血圧測定姿勢をとることになって、血圧測定精度が高まる。
【０１１５】
なお、上記姿勢誘導情報として、上述のイラストレーションとマークに代えて、実写した写真を用いてもよい。また、左手（および左手首）の動きを示すアニメーションまたはビデオを用いてもよい。上記姿勢誘導情報は、手および／または手首だけでなく、上半身を含んでいてもよい。また、上記姿勢誘導情報は、第２の表示器５０Ｂだけでなく、第１の表示器５０Ａにも表示してもよい。
【０１１６】
また、図１３のフローでは、ユーザの左手首９０の姿勢として、特に左手首９０の周りの掌側面９０ａの角度位置φを検出したが、これに限られるものではない。ユーザの左手首９０の姿勢として、テーブル面（水平面）に対する左手首（前腕）９０の傾斜角θを検出してもよい。その場合、ＣＰＵ１００は、左手首９０の傾斜角θが推奨血圧測定姿勢に合致しているか否かを判断して、合致していなければ、左手首９０の傾斜角θが推奨血圧測定姿勢に合致するように誘導する姿勢誘導情報を、第１の表示器５０Ａまたは第２の表示器５０Ｂに表示するのが望ましい。
【０１１７】
また、本体１０Ａ内で第１の表示器５０Ａの裏側に、または、本体１０Ｂ内で第２の表示器５０Ｂの裏側に、ＬＥＤ（Light Emitting Diode）を搭載し、ＣＰＵ１００は、上記姿勢誘導情報をそのＬＥＤの光（第１の表示器５０Ａまたは第２の表示器５０Ｂの表示画面を透過した光）の点灯若しくは点滅を用いて表示してもよい。この例では、図３中に本体１０Ａに搭載されたＬＥＤ５０Ｃを破線のブロックで示している。例えば、ユーザの左手首９０の姿勢が推奨血圧測定姿勢から外れたとき、ＬＥＤ５０Ｃを点灯若しくは点滅させる一方、ユーザの左手首９０の姿勢が推奨血圧測定姿勢に合致したとき、ＬＥＤ５０Ｃの点灯若しくは点滅を停止する制御を行う。そのようにした場合、ユーザは、ＬＥＤ５０Ｃの点灯若しくは点滅を停止させるべく、左手首９０の姿勢を推奨血圧測定姿勢に合致させるように促される。なお、その制御に代えて、ユーザの左手首９０の姿勢が推奨血圧測定姿勢から離れると、ＬＥＤ５０Ｃの点滅周期を長くする一方、ユーザの左手首９０の姿勢が推奨血圧測定姿勢に近づくと、ＬＥＤ５０Ｃの点滅周期を短くする制御を行ってもよい。そのようにした場合、ユーザは、ＬＥＤ５０Ｃの点滅周期を短くすべく、左手首９０の姿勢を推奨血圧測定姿勢に合致させるように促される。
【０１１８】
（変形例４）
上の図７、図１１、図１３のフローでは、ユーザが機器１を左手首９０に装着したものとして処理を開始したが、これに限られるものではない。血圧測定（血圧測定期間）の開始前に、この機器１が装着された手首が左手首と右手首とのいずれであるかを検出して、装着された手首が右手首（予定されていない手首）であるとき、ユーザがこの機器１を左手首（予定されている手首）に装着し直すように、装着手首誘導情報を表示してもよい。
【０１１９】
具体的には、ユーザが、例えば製品の取扱説明書に従って、血圧測定を行おうとする姿勢をとる。この時点では、図８（Ａ）に示すように、第１の表示器５０Ａは非表示モードとされ、また、図８（Ｂ）に示すように、第２の表示器５０Ｂには時計機能による表示Ｎ１と、活動量測定機能による表示Ｎ２とがなされているものとする。
【０１２０】
この状態で、図１４のステップＳ４１に示すように、ユーザが例えば本体１０Ａに設けられた第１の操作部５２Ａとしてのプッシュ式スイッチを右手で押すと（図１４のステップＳ４２でＹＥＳ）、ＣＰＵ１００は、図１４のステップＳ４３に示すように、加速度センサ３４の出力を用いて、この機器１が装着された手首が左手首であるか、または右手首であるかを検出して、この機器１が装着された手首が左手首９０であるか否かを判断する。
【０１２１】
ここで、この機器１が装着された手首が左手首でなければ（図１４のステップＳ４３でＮＯ）、つまり装着された手首が右手首であれば、ＣＰＵ１００は、第１の表示器５０Ａ（この時、ユーザから見える状態にある）を表示モード、第２の表示器５０Ｂ（この時、ユーザから見えない状態にある）を非表示モードとする（図１４のステップＳ４４）。続いて、ＣＰＵ１００は、図１４のステップＳ４５で、図１６（Ａ）に示すように、この例では第１の表示器５０Ａに、この機器１を左手首９０に装着し直すように誘導する装着手首誘導情報を、画像として表示する（第２の制御）。この図１６（Ａ）の画像は、右手（および右手首）を示すイラストレーションＭ４と、左手（および左手首）を示すイラストレーションＭ５と、左手首に装着されるべき機器１を示す矩形マークＭ６と、右から左へ向かう向きを示す矢印マークＭ７とを含んでいる。さらに、ＣＰＵ１００は、その画像に続いて、図１０（Ｃ）に示すように、第１の表示器５０Ａに、「測定開始できません」というメッセージを表示する。これらの図１６（Ａ）の画像と図１６（Ｃ）のメッセージとを一定周期（例えば０．５秒間から数秒間までの範囲内の周期）で繰り返してもよい。なお、第１の表示器５０Ａで図１６（Ａ）、図１６（Ｃ）の表示が行われている間、図１６（Ｂ）に示すように、第２の表示器５０Ｂはブランクになっている。
【０１２２】
ユーザは、図１６（Ａ）の画像と図１６（Ｃ）のメッセージとを見て、自分がこの機器１を左手首９０に装着すべきことを直感的に知ることができる。つまり、ユーザは、この機器１を右手首から左手首９０へ装着し直すように促される。
【０１２３】
この機器１が装着された手首が左手首であれば（図１４のステップＳ４３でＹＥＳ）、ＣＰＵ１００は、第１の表示器５０Ａを表示モード、第２の表示器５０Ｂを非表示モードとし（図１４のステップＳ４６）、続いて、今回の血圧測定に関する情報を第１の表示器５０Ａに表示する（図１４のステップＳ４７）。この例では、図９（Ａ）に示すように、第１の表示器５０Ａに、今回の血圧測定に関する情報として血圧測定の準備中であることを表す下向きの矢印マークＭ１を表示する。一方、図９（Ｂ）に示すように、第２の表示器５０Ｂはブランクとなる。このようにして、ＣＰＵ１００は、今回の血圧測定に関する情報を第１の表示器５０Ａのみに表示する（第１の制御）。これにより、血圧測定（血圧測定期間）が開始され、図４のフローに従って血圧測定が行われる。
【０１２４】
このようにした場合、左手首９０で血圧が測定されることになって、血圧測定精度が高まる。
【０１２５】
なお、この機器１を左手首９０に装着するように誘導する装着手首誘導情報は、図１６（Ａ）、図１６（Ｃ）に示したものに限られない。例えば、図１７（Ａ）に示すように、上記装着手首誘導情報として、渦巻き状のベルト中に反転した「ＯＫ」が表示されているマークＭ８と、圧力「２６ｍｍＨｇ」を反転したマークＭ９とを含む画像を表示してもよい。ユーザは、この画像を見て、この機器１を右手首から左手首９０へ装着し直すように促される。なお、第１の表示器５０Ａで図１７（Ａ）の表示が行われている間、図１７（Ｂ）に示すように、第２の表示器５０Ｂはブランクになっている。
【０１２６】
なお、上記装着手首誘導情報として、上述のイラストレーションとマークに代えて、右手首から左手首へ装着し直す動きを示すアニメーションまたはビデオを用いてもよい。上記装着手首誘導情報は、手および／または手首だけでなく、上半身を含んでいてもよい。また、上記装着手首誘導情報は、第１の表示器５０Ａだけでなく、第２の表示器５０Ｂにも表示してもよい。
【０１２７】
また、本体１０Ａ内で第１の表示器５０Ａの裏側に、または、本体１０Ｂ内で第２の表示器５０Ｂの裏側に、ＬＥＤ(例えば、図３中の本体１０Ａに搭載されたＬＥＤ５０Ｃ)を搭載し、ＣＰＵ１００は、上記装着手首誘導情報をそのＬＥＤの光（第１の表示器５０Ａまたは第２の表示器５０Ｂの表示画面を透過した光）の点灯若しくは点滅を用いて表示してもよい。例えば、機器１が装着された手首が右手首（予定外の手首）であるとき、ＬＥＤ５０Ｃを点灯若しくは点滅させる一方、機器１が装着された手首が左手首（予定された手首）であるとき、ＬＥＤ５０Ｃの点灯若しくは点滅を停止する制御を行う。そのようにした場合、ユーザは、ＬＥＤ５０Ｃの点灯若しくは点滅を停止させるべく、機器１を予定された手首に装着するように促される。
【０１２８】
（変形例５）
上の図１３のフローでは、血圧測定の開始前に、姿勢誘導情報を表示したが、これに限られるものではない。図１８（Ａ）、図１８（Ｂ）のフローに示すように、血圧測定（血圧測定期間）中に、姿勢誘導情報を表示してもよい。図１８（Ａ）、図１８（Ｂ）は、血圧測定中に、図４の全体的な動作フローと並行して実行される姿勢誘導情報に関するフローを示している。
【０１２９】
血圧測定の開始時には、図９（Ａ）に示すように、第１の表示器５０Ａに、今回の血圧測定に関する情報として血圧測定の準備中であることを表す下向きの矢印マークＭ１が表示され、また、図９（Ｂ）に示すように、第２の表示器５０Ｂはブランクとなっているものとする。
【０１３０】
血圧測定中に、ＣＰＵ１００は、図１８（Ａ）のステップＳ５１に示すように、加速度センサ３４の出力を用いて、血圧測定中のユーザの左手首９０の姿勢、この例ではテーブル面（水平面）に対する左手首（前腕）９０の傾斜角θ、および、左手首９０の周りの掌側面９０ａの角度位置φ（掌側面９０ａが上を向いているか否か）を検出する。そして、ＣＰＵ１００は、図１８（Ａ）のステップＳ５２に示すように、ユーザの左手首９０の姿勢が推奨血圧測定姿勢（図６）に合致しているか否かを判断する。
【０１３１】
具体的には、左手首（前腕）９０の傾斜角θが予め定められた許容角度範囲（θＬ，θＵ）内にあり、かつ、左手首９０の掌側面９０ａが上を向いていれば（すなわち、掌側面９０ａの角度位置φが許容角度範囲（φＬ，φＲ）内にあれば）、推奨血圧測定姿勢に合致していると判断する。それ以外の場合、例えば左手首９０の傾斜角θが下限θＬよりも小さいとき、左手首９０の傾斜角θが上限θＵよりも大きいとき、または、左手首９０の掌側面９０ａが上ではなく、下ないし横を向いているとき（すなわち、掌側面９０ａの角度位置φが許容角度範囲（φＬ，φＲ）外にあるとき）は、推奨血圧測定姿勢に合致していないと判断する。
【０１３２】
ユーザの左手首９０の姿勢が推奨血圧測定姿勢に合致している場合（図１８（Ａ）のステップＳ５２でＹＥＳ）、ＣＰＵ１００は、第１の表示器５０Ａを表示モード、第２の表示器５０Ｂを非表示モードとし（図１８（Ａ）のステップＳ５３）、続いて、今回の血圧測定に関する情報を第１の表示器５０Ａに表示する（図１８（Ａ）のステップＳ５４）。この例では、図１９（Ａ）に示すように、第１の表示器５０Ａに、今回の血圧測定に関する情報として、渦巻き状のベルト中に「ＯＫ」が表示されているマークＭ１０と、圧力「２６ｍｍＨｇ」を表示したマークＭ１１とを含む画像を表示する。マークＭ１０は、左手首９０に対するベルト２０の装着が適正であることを表している。マークＭ１１は現在のカフ圧を表している。なお、図１９（Ｂ）に示すように、第２の表示器５０Ｂはブランクとなる。このようにして、ＣＰＵ１００は、今回の血圧測定に関する情報を第１の表示器５０Ａのみに表示する（第１の制御）。この状態で、血圧測定の処理が継続され（図１８（Ａ）のステップＳ５５）、血圧算出が行われる（図１８（Ａ）のステップＳ５６）。
【０１３３】
一方、ユーザの左手首９０の姿勢が推奨血圧測定姿勢に合致していない場合（図１８（Ａ）のステップＳ５２でＮＯ）であって、例えば左手首９０の傾斜角θが下限θＬよりも小さいとき、ＣＰＵ１００は、第１の表示器５０Ａを表示モード、第２の表示器５０Ｂを非表示モードとする（図１８（Ａ）のステップＳ５７）。続いて、ＣＰＵ１００は、図１８（Ａ）のステップＳ５８で、今回の血圧測定に関する情報を第１の表示器５０Ａに表示するとともに（第１の制御）、左手首９０の傾斜角θを大きくするように誘導する姿勢誘導情報を第１の表示器５０Ａに表示する（第４の制御）。この例では、図２０（Ａ）に示すように、第１の表示器５０Ａに、今回の血圧測定に関する情報として、渦巻き状のベルト中に「ＯＫ」が表示されているマークＭ１０と、圧力「２６ｍｍＨｇ」を表示したマークＭ１１とに併せて、上記姿勢誘導情報として、マークＭ１０（渦巻き状のベルト）の上方に配置された上向きの三角マークＭ１２を含む画像を表示する。この上向きの三角マークＭ１２は、左手首９０の傾斜角θを大きくすべきことをユーザに直感的に知らせる。ユーザは、第１の表示器５０Ａに表示された画像を見て、左手首９０の傾斜角θを大きくすべきことを促さされる。この誘導の結果、図１８（Ａ）のステップＳ５５〜Ｓ５６において、適正な傾斜角θで血圧が測定されることになって、血圧測定精度が高まる。なお、第１の表示器５０Ａで図２０（Ａ）の表示が行われている間、図２０（Ｂ）に示すように、第２の表示器５０Ｂはブランクになっている。
【０１３４】
また、ユーザの左手首９０の姿勢が推奨血圧測定姿勢に合致していない場合（図１８（Ａ）のステップＳ５２でＮＯ）であって、左手首９０の傾斜角θが上限θＵよりも大きいとき、ＣＰＵ１００は、第１の表示器５０Ａを表示モード、第２の表示器５０Ｂを非表示モードとする（図１８（Ａ）のステップＳ５９）。続いて、ＣＰＵ１００は、図１８（Ａ）のステップＳ６０で、今回の血圧測定に関する情報を第１の表示器５０Ａに表示するとともに（第１の制御）、左手首９０の傾斜角θを小さくするように誘導する姿勢誘導情報を第１の表示器５０Ａに表示する（第４の制御）。この例では、図２１（Ａ）に示すように、第１の表示器５０Ａに、今回の血圧測定に関する情報として、渦巻き状のベルト中に「ＯＫ」が表示されているマークＭ１０と、圧力「２６ｍｍＨｇ」を表示したマークＭ１１とに併せて、上記姿勢誘導情報として、マークＭ１０（渦巻き状のベルト）の下方に配置された下向きの三角マークＭ１３を含む画像を表示する。この上向きの三角マークＭ１２は、左手首９０の傾斜角θを小さくすべきことをユーザに直感的に知らせる。ユーザは、第１の表示器５０Ａに表示された画像を見て、左手首９０の傾斜角θを小さくすべきことを促さされる。この誘導の結果、図１８（Ａ）のステップＳ５５〜Ｓ５６において、適正な傾斜角θで血圧が測定されることになって、血圧測定精度が高まる。なお、第１の表示器５０Ａで図２１（Ａ）の表示が行われている間、図２１（Ｂ）に示すように、第２の表示器５０Ｂはブランクになっている。
【０１３５】
また、ユーザの左手首９０の姿勢が推奨血圧測定姿勢に合致していない場合（図１８（Ａ）のステップＳ５２でＮＯ）であって、左手首９０の掌側面９０ａが上ではなく、下ないし横を向いているとき（すなわち、掌側面９０ａの角度位置φが許容角度範囲（φＬ，φＲ）外にあるとき）、ＣＰＵ１００は、第１の表示器５０Ａ（この時、ユーザから見えない状態にある）を非表示モード、第２の表示器５０Ｂ（この時、ユーザから見える状態にある）を表示モードとする（図１８（Ｂ）のステップＳ６１）。そして、ＣＰＵ１００は、図１８（Ｂ）のステップＳ６２で、図１０（Ｂ）に示すように、第２の表示器５０Ｂに、左手首９０の掌側面９０ａを上に向かせるように誘導する姿勢誘導情報を、画像として表示する（第４の制御）。既述のように、この図１０（Ｂ）の画像は、左手（および左手首）を示すイラストレーションＭ２と、その左手（および左手首）を裏返すことを示す矢印マークＭ３とを含んでいる。ユーザは、図１０（Ｂ）の画像を見て、自分が左手および左手首９０を裏返すべきことを直感的に知ることができる。つまり、ユーザは、左手および左手首９０を裏返すことを促される。この誘導の結果、図１８（Ａ）のステップＳ５５〜Ｓ５６において、左手首９０の掌側面９０ａが上に向いた適切な姿勢で血圧が測定されることになって、血圧測定精度が高まる。なお、第２の表示器５０Ｂで図１０（Ｂ）の表示が行われている間、図１０（Ａ）に示すように、第１の表示器５０Ａはブランクになっている。
【０１３６】
なお、図１８（Ａ）のステップＳ５２で、左手首（前腕）９０の傾斜角θが予め定められた許容角度範囲（θＬ，θＵ）を外れるとともに、左手首９０の掌側面９０ａが下ないし横を向いている状態になった場合は、ＣＰＵ１００は、例えば、傾斜角θを許容角度範囲（θＬ，θＵ）内に誘導する処理（図１８（Ａ）のステップＳ５７，Ｓ５８またはＳ５９，Ｓ６０）と、掌側面９０ａを上向きに誘導する処理（図１８（Ｂ）のステップＳ６１，Ｓ６２）とのいずれか一方を先に行い、他方を後に行う。または、それに代えて、ＣＰＵ１００は、第１の表示器５０Ａと第２の表示器５０Ｂとの両方を表示モードとして、傾斜角θを許容角度範囲（θＬ，θＵ）内に誘導する処理（図１８（Ａ）のステップＳ５８またはＳ６０）と、掌側面９０ａを上向きに誘導する処理（図１８（Ｂ）のステップＳ６２）とを並行して行ってもよい。
【０１３７】
さらに、ＣＰＵ１００は、血圧測定（血圧測定期間）中に、第１の表示器５０Ａまたは第２の表示器５０Ｂに既述の装着手首誘導情報（例えば図１６（Ａ）、図１６（Ｃ））を表示してもよい（第５の制御）。そのようにした場合、ユーザは、図１６（Ａ）の画像と図１６（Ｃ）のメッセージとを見て、自分がこの機器１を左手首９０に装着すべきことを直感的に知ることができる。つまり、ユーザは、この機器１を右手首から左手首９０へ装着し直すように促される。この血圧測定期間中の装着手首誘導情報の表示は、この機器１が装着された手首が左手首と右手首とのいずれであるかを検出することなく血圧測定処理を開始した場合（例えば、図７のフローによって血圧測定処理を開始した場合）に、特に意義がある。
【０１３８】
（変形例６）
図２２（Ａ）〜図２３（Ｄ）は、血圧測定開始時から血圧測定完了時までの血圧測定期間中に、第１の表示器５０Ａに表示される「その血圧測定に関する情報」を表す様々な画像の例を示している。
【０１３９】
図２２（Ａ）、図２２（Ｂ）は、それぞれ血圧測定開始時の表示例を示している。図２２（Ａ）では、血圧測定開始時のカフ圧「０ｍｍＨｇ」を示す表示Ｍ２１と、血圧測定の準備中であることを示す下向きの矢印マークＭ２２とを含む画像が表示されている。図２２（Ｂ）では、血圧測定開始時のカフ圧「０ｍｍＨｇ」を示す表示Ｍ２１と、「測定開始します。安静にしましょう。」という、ユーザへの注意（心得）を示すメッセージＭ２３とを含む画像が表示されている。
【０１４０】
図２２（Ｃ）、図２２（Ｄ）、図２２（Ｅ）は、それぞれ血圧測定途中の表示例を示している。図２２（Ｃ）では、血圧測定途中の現在のカフ圧「７４ｍｍＨｇ」を示す表示Ｍ３１と、その血圧測定の進捗を示す帯グラフＭ３２と、脈拍を検出していることを表す（脈検出毎に点灯する）サイン波形Ｍ３３とを含む画像が表示されている。図２２（Ｄ）では、測定時間［ｓ］を横軸とし、圧力（カフ圧）［ｍｍＨｇ］を縦軸とした血圧測定中の圧力波形グラフＭ３４を含む画像が表示されている。図２２（Ｅ）では、血圧測定途中の現在のカフ圧「７４ｍｍＨｇ」を示す表示Ｍ３１と、その血圧測定の進捗を示す帯グラフＭ３２と、渦巻き状のベルト中に「ＮＧ」が表示されている（ベルトが緩いことを示す）マークＭ３５と、体動（または腕の動き）有りを表すマークＭ３６とを含む画像が表示されている。マークＭ３５、Ｍ３６は、その血圧測定の信頼性に関する情報である。
【０１４１】
図２３（Ａ）、図２３（Ｂ）、図２３（Ｃ）、図２３（Ｄ）は、それぞれ血圧測定完了時の表示例を示している。図２３（Ａ）では、その血圧測定によって得られた収縮期血圧（最高血圧）「ＳＹＳ：１３０」、拡張期血圧（最低血圧）「ＤＩＡ：６９」、脈拍「ＰＬＳ：７４」を示す表示Ｍ４１と、その血圧測定の年月日「２０１５／８／１９」および時刻「１０：５９：３４」を示す表示Ｍ４２とを含む画像が表示されている。なお、拡張期血圧と拡張期血圧の単位は［ｍｍＨｇ］であり、脈拍の単位は［拍／ｍｉｎ］である。図２３（Ｂ）では、その血圧測定によって得られた収縮期血圧「ＳＹＳ：１３０」、拡張期血圧「ＤＩＡ：６９」、脈拍「ＰＬＳ：７４」を示す表示Ｍ４１と、その血圧測定の時刻を含む或る期間（例えば１ヶ月）内の測定回数の目標達成率（単位［％］）を示す帯グラフＭ４３とを含む画像が表示されている。図２３（Ｃ）では、その血圧測定によって得られた収縮期血圧「ＳＹＳ：１３０」、拡張期血圧「ＤＩＡ：６９」、脈拍「ＰＬＳ：７４」を示す表示Ｍ４１と、渦巻き状のベルト中に「ＮＧ」が表示されている（ベルトが緩いことを示す）マークＭ３５と、体動（または腕の動き）有りを表すマークＭ３６とを含む画像が表示されている。既述のように、マークＭ３５、Ｍ３６は、その血圧測定の信頼性に関する情報である。図２３（Ｄ）では、その血圧測定によって得られた収縮期血圧（最高血圧）「ＳＹＳ：１５３」、拡張期血圧（最低血圧）「ＤＩＡ：１０２」、脈拍「ＰＬＳ：５４」を示す表示Ｍ４１′と、「血圧が高めです。」という、その血圧測定によって得られた血圧値についての評価を示すメッセージＭ４６とを含む画像が表示されている。
【０１４２】
このように、血圧測定期間中に、第１の表示器５０Ａに、「その血圧測定に関する情報」として様々な情報が表示され得る。
【０１４３】
（変形例７）
上の機器１では、図５Ａに示すように左手首９０の掌側面９０ａに対応して第１の表示器５０Ａ（および本体１０Ａ）が配置されるとともに、図５Ｂに示すように左手首９０の背側面９０ｂに対応して第２の表示器５０Ｂ（および本体１０Ｂ）が配置されるものとした。しかしながら、これに限られるものではなく、例えば、図２５Ａに示すように左手首９０の橈側面（手首の外周のうち親指側に相当する部分の面）９０ｃに対応して第１の表示器５０Ａ′（および本体１０Ａ′）が配置されるとともに、図２５Ｂに示すように左手首９０の背側面９０ｂに対応して第２の表示器５０Ｂ（および本体１０Ｂ）が配置されるものとしてもよい。これを機器１′と呼ぶ。
【０１４４】
図２４Ａは、この機器１′の外観を斜めから見たところ示している。図２４Ｂ、図２４Ｃ、図２４Ｄ、図２４Ｅは、それぞれ機器１′を図２４Ａにおける右側方、上方、手前、下方から見たところを示している。
【０１４５】
これらの図に示すように、この機器１′は、左手首９０の橈側面９０ｃに対応して第１の表示器５０Ａ′（および本体１０Ａ′）が配置されている以外の点は、既述の機器１と同じ構成になっており、機器１と同様に動作する。
【０１４６】
この機器１′がベルト２０でユーザの左手首９０を取り巻いて装着された状態で、ユーザが推奨血圧測定姿勢をとれば、第１の表示器５０Ａ′がユーザの視野に入る姿勢となる。したがって、この機器１′によれば、機器１におけるのと同様に、血圧測定期間中、ユーザが推奨血圧測定姿勢をとるように促すことができる。一方、血圧測定期間以外の期間は、第１の表示器５０Ａ′、第２の表示器５０Ｂは、血圧測定機能を含む複数の機能のために活用され得る。
【０１４７】
上述の実施形態では、ユーザの左手首９０の姿勢を検出し、また、機器１が装着された手首が左手首と右手首とのいずれであるかを検出するのに、加速度センサ３４の出力を用いた。しかしながら、これに限られるものではない。ユーザの左手首９０の姿勢、装着された手首が左手首と右手首とのいずれであるかは、加速度センサ３４に代えて、または加速度センサ３４に加えて、角速度センサ、気圧センサなどを用いて検出してもよい。
【０１４８】
また、上述の実施形態では、姿勢誘導情報と装着手首誘導情報を、表示器５０Ａ，５０Ｂによってユーザに知らせたが、これに限られるものではない。姿勢誘導情報と装着手首誘導情報を、表示器５０Ａ，５０Ｂによる表示に代えて、または表示器５０Ａ，５０Ｂによる表示に加えて、例えば本体１０Ａまたは本体１０Ｂに内蔵された発音部（例えば、ブザー）または振動器によってユーザに知らせてもよい。この例では、図３中に本体１０Ｂに搭載された発音部５４と振動器５５を破線のブロックで示している。
【０１４９】
例えば、姿勢誘導情報については、ユーザの左手首９０の姿勢が推奨血圧測定姿勢から外れたとき、発音部５４を発音させるか又は振動器５５を振動させる一方、ユーザの左手首９０の姿勢が推奨血圧測定姿勢に合致したとき、発音部５４の音又は振動器５５の振動を停止する制御を行う。そのようにした場合、ユーザは、発音部５４の音又は振動器５５の振動を停止させるべく、左手首９０の姿勢を推奨血圧測定姿勢に合致させるように促される。なお、その制御に代えて、ユーザの左手首９０の姿勢が推奨血圧測定姿勢から離れると、発音部５４の音又は振動器５５の振動の断続周期を長くする一方、ユーザの左手首９０の姿勢が推奨血圧測定姿勢に近づくと、発音部５４の音又は振動器５５の振動の断続周期を短くする制御を行ってもよい。そのようにした場合、ユーザは、発音部５４の音又は振動器５５の振動の断続周期を短くすべく、左手首９０の姿勢を推奨血圧測定姿勢に合致させるように促される。
【０１５０】
また、装着手首誘導情報については、機器１が装着された手首が右手首（予定外の手首）であるとき、発音部５４を発音させるか又は振動器５５を振動させる一方、機器１が装着された手首が左手首（予定された手首）であるとき、発音部５４の音又は振動器５５の振動を停止する制御を行う。そのようにした場合、ユーザは、発音部５４の音又は振動器５５の振動を停止させるべく、機器１を予定された手首に装着するように促される。
【０１５１】
また、上述の実施形態では、機器１，１′は、左手首９０に装着されることが予定されているものとした。しかしながら、これに限られるものではない。例えば機器１，１′に対して鏡面対称の外形を持つ、右手首に装着されることを予定した機器を構成してもよい。そのような機器は、左利きのユーザにとって便利である。
【０１５２】
また、上述の実施形態では、第１の表示領域としての第１の表示器と、第２の表示領域としての第２の表示器とを、互いに別体として構成した。しかしながら、これに限られるものではない。例えば、第１の表示領域と第２の表示領域とは、手首の周方向に関して連続して延在する１つの表示器の、互いに異なる２つの領域であってもよい。
【０１５３】
また、上述の実施形態では、血圧測定機能を実現するために、ベルト２０内に手首を圧迫するための流体袋２１（図３参照）が内包され、オシロメトリック法によって血圧を測定する構成を採用した。しかしながら、これに限られるものではない。例えば、ベルト２０の内周面に、複数並ぶ圧力センサ（圧電素子）を備えた半導体センサアレイを搭載し、トノメトリ法（手首を通っている動脈を、血管の全周のうちの一部が平坦になる程度に押し、動脈内圧と外圧をバランスさせて非侵襲的に血圧を測定する方法）によって血圧を測定する構成を採用してもよい。つまり、本発明の機器では、血圧測定機能については手首に巻き付けられたベルト２０を用いて血圧を測定できればよく、血圧測定機能を実現するために様々な構成および方法をとり得る。
【０１５４】
また、上述の実施形態では、「推奨血圧測定姿勢」は、典型的には、図６に示したように、腕を曲げてテーブル上に肘を置いた上で、左手首９０を前方斜め上へ向け、かつ、左手首９０の掌側面９０ａを上へ向けた姿勢であるものとした。しかしながら、これに限られるものではない。「推奨血圧測定姿勢」は、前腕を体幹に対して前方で斜め（手が上、肘が下）に交差して挙げて、左手首９０を心臓９１の高さレベルに維持し、かつ、左手首９０の橈側面ｃを上へ向けた姿勢であってもよい。特に、機器１′を用いる場合、後者の姿勢は、ユーザが第１の表示器５０Ａ′を見易いので、好ましい。
【０１５５】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１５６】
１，１′  機器
１０Ａ，１０Ａ′，１０Ｂ  本体
２０  ベルト
５０Ａ，５０Ａ′  第１の表示器
５０Ｂ  第２の表示器
５２Ａ  第１の操作部
５２Ｂ  第２の操作部
【図１Ａ】
2017121275.tif 000003
【図１Ｂ】
2017121275.tif 000004
【図１Ｃ】
2017121275.tif 000005
【図１Ｄ】
2017121275.tif 000006
【図１Ｅ】
2017121275.tif 000007
【図２】
2017121275.tif 000008
【図３】
2017121275.tif 000009
【図４】
2017121275.tif 000010
【図５Ａ】
2017121275.tif 000011
【図５Ｂ】
2017121275.tif 000012
【図６】
2017121275.tif 000013
【図７】
2017121275.tif 000014
【図８】
2017121275.tif 000015
【図９】
2017121275.tif 000016
【図１０】
2017121275.tif 000017
【図１１】
2017121275.tif 000018
【図１２】
2017121275.tif 000019
【図１３】
2017121275.tif 000020
【図１４】
2017121275.tif 000021
【図１５】
2017121275.tif 000022
【図１６】
2017121275.tif 000023
【図１７】
2017121275.tif 000024
【図１８Ａ】
2017121275.tif 000025
【図１８Ｂ】
2017121275.tif 000026
【図１９】
2017121275.tif 000027
【図２０】
2017121275.tif 000028
【図２１】
2017121275.tif 000029
【図２２】
2017121275.tif 000030
【図２３】
2017121275.tif 000031
【図２４Ａ】
2017121275.tif 000032
【図２４Ｂ】
2017121275.tif 000033
【図２４Ｃ】
2017121275.tif 000034
【図２４Ｄ】
2017121275.tif 000035
【図２４Ｅ】
2017121275.tif 000036
【図２５Ａ】
2017121275.tif 000037
【図２５Ｂ】
2017121275.tif 000038
【手続補正書】
【提出日】平成29年3月2日(2017.3.2)
【手続補正１】
【補正対象書類名】図面
【補正対象項目名】図２３
【補正方法】変更
【補正の内容】
【図２３】
2017121275.tif 000039